(57)【要約】      （修正有）【課題】明晰にマクロ撮影を行うことができ、しかもレンズと被写体との間の相互汚染を回避できるマクロ撮影用光モジュールを提供する。【解決手段】マクロ撮影用光モジュールは、画像取込装置１０のレンズ１１上に連接し、これにより平面上に安定して置くことができ、平面に対して画像を取り込むことができ、マクロ撮影用光モジュールは、スリーブ２１、接触ユニット４０、発光ユニット２２からなり、スリーブ２１はレンズ１１に嵌めて接続する後段部２１１、及び後段部２１１の反対側の前段部２１２を備え、接触ユニット４０は前段部２１２の端面２１３上に設置し、接触ユニット４０は間隔を開けて端面上に設置し、平面に接触する複数の接触クッション４１を備え、発光ユニット２２はスリーブ２１の内表面上に設置される。【選択図】図１
0003170421.tif 000002
【実用新案登録請求の範囲】
【請求項１】
マクロ撮影用光モジュールは、画像取込装置のレンズ上に連接し、これにより平面上に安定して置くことができ、該平面に対して画像を取り込むことができ、
該マクロ撮影用光モジュールは、スリーブ、接触ユニット、発光ユニットからなり、
該スリーブは、該レンズに嵌めて接続する後段部、及び該後段部の反対側の前段部を備え、
該接触ユニットは、該前段部の端面上に設置し、該接触ユニットは、間隔を開けて該端面上に設置し、該平面に接触する複数の接触クッションを備え、
該発光ユニットは、該スリーブの内表面上に設置したことを特徴とするマクロ撮影用光モジュール。
【請求項２】
前記接触クッションと該スリーブとは一体成型を呈したことを特徴とする請求項１に記載のマクロ撮影用光モジュール。
【請求項３】
前記接触ユニットは、間隔を開けて設置する３個の前記接触クッションを備えたことを特徴とする請求項１に記載のマクロ撮影用光モジュール。
【請求項４】
前記接触クッションは、半円形の断面を備えたことを特徴とする請求項１に記載のマクロ撮影用光モジュール。
【請求項５】
前記接触クッションは、弾性材質であることを特徴とする請求項１に記載のマクロ撮影用光モジュール。
【請求項６】
前記接触クッションは、該端面に沿って弧状を呈して延伸したことを特徴とする請求項５に記載のマクロ撮影用光モジュール。
【請求項７】
前記端面上に、複数の凹槽を形成し、しかも該接触ユニットの該各接触クッションはそれぞれ取り外し可能状態で、該各凹槽内に対応して嵌めて設置したことを特徴とする請求項１に記載のマクロ撮影用光モジュール。
【請求項８】
前記接触ユニットはさらに、隣接する２個の前記接触クッションに連接する少なくとも１個の連結部を備えたことを特徴とする請求項７に記載のマクロ撮影用光モジュール。
【請求項９】
前記マクロ撮影用光モジュールはさらに、アダプタを備え、しかも該スリーブは、該アダプタにより、該画像取込装置上に取り付けられることを特徴とする請求項１に記載のマクロ撮影用光モジュール。
【考案の詳細な説明】
【技術分野】
【０００１】
本考案は光モジュールに関し、特にマクロ撮影用光モジュールに関する。
【背景技術】
【０００２】
絶えず新しい手法による犯罪が発生する現代、科学の力による事件捜査は、警察或いは検察にとって、今や手がかりを得るための重要な項目である。科学捜査において、指紋採取は、その内最も常用される方法である。
一人一人の指紋はそれぞれ独特であるため、指紋の採取と比較対照により、犯罪の具体的証拠を正確に掌握することができる。
【０００３】
しかし多くの場合、指紋を肉眼だけではっきりと識別することはできないため、しばしば粉末等物質を指紋上に加え、指紋を肉眼で識別し易くしている。
たとえそうだとしても、指紋は往々にしてガラス等の滑らかな表面上に存在するため、指紋の撮影を行う時には、これら滑らかな表面はフラッシュの光線を反射し、カメラ等画像取込装置が撮影する指紋画像のある部分には、過度な露光が出現してしまう。これにより、指紋のすべての筋を読み取ることはできなくなる。
【０００４】
よって、撮影が難しい指紋にとっては、指紋を明晰に撮影可能なマクロ撮影用光モジュールの設計が求められている。
これを、警察或いは検察の使用に供すれば、事件捜査と解決への過程を加速することができるだろう。
しかし、指紋に対して撮影を行う時、レンズが指紋に極めて接近し、或いはレンズが指紋に接触する状況さえ発生する可能性があり、これにより指紋に傷をつけ、証拠採取の妨げとなる恐れもある。
一方、レンズに汚染物が付着し、不必要な相互汚染を引き起こす可能性もある。
本考案は、従来の指紋撮影における上記した必要に鑑みてなされたものである。
【先行技術文献】
【特許文献】
【０００５】
【特許文献１】特開２００２−２９７２５７
【特許文献２】特開２００５−２７８１３４
【考案の概要】
【考案が解決しようとする課題】
【０００６】
本考案が解決しようとする課題は、明晰にマクロ撮影を行うことができ、しかもレンズと被写体との間の相互汚染を回避できるマクロ撮影用光モジュールを提供することである。
【課題を解決するための手段】
【０００７】
上記課題を解決するため、本考案は下記のマクロ撮影用光モジュールを提供する。
本考案のマクロ撮影用光モジュールは、画像取込装置のレンズ上に連接し、これにより平面上に安定して置くことができ、該平面に対して画像を取り込むことができ、該マクロ撮影用光モジュールは、スリーブ、接触ユニット、発光ユニットからなり、該スリーブは、レンズに嵌めて接続する後段部、及び後段部の反対側の前段部を備え、該接触ユニットは、該前段部の端面上に設置し、該接触ユニットは、間隔を開けて端面上に設置し、平面に接触する複数の接触クッションを備え、該発光ユニットは、スリーブの内表面上に設置される。
【０００８】
すなわち、請求項１の考案は、マクロ撮影用光モジュールが、画像取込装置のレンズ上に連接し、これにより平面上に安定して置くことができ、該平面に対して画像を取り込むことができ、該マクロ撮影用光モジュールは、スリーブ、接触ユニット、発光ユニットからなり、該スリーブは、該レンズに嵌めて接続する後段部、及び該後段部の反対側の前段部を備え、該接触ユニットは、該前段部の端面上に設置し、該接触ユニットは、間隔を開けて該端面上に設置し、該平面に接触する複数の接触クッションを備え、該発光ユニットは、該スリーブの内表面上に設置したことを特徴とするマクロ撮影用光モジュールである。
【０００９】
請求項２の考案は、請求項１に記載のマクロ撮影用光モジュールにおいて、前記接触クッションと該スリーブとは一体成型を呈したことを特徴とする。
請求項３の考案は、請求項１に記載のマクロ撮影用光モジュールにおいて、前記接触ユニットは、間隔を開けて設置する３個の接触クッションを備えたことを特徴とする。
請求項４の考案は、請求項１に記載のマクロ撮影用光モジュールにおいて、前記接触クッションは、半円形の断面を備えたことを特徴とする。
【００１０】
請求項５の考案は、請求項１に記載のマクロ撮影用光モジュールにおいて、前記接触クッションは、弾性材質であることを特徴とする。
請求項６の考案は、請求項５に記載のマクロ撮影用光モジュールにおいて、前記接触クッションは、該端面に沿って弧状を呈して延伸したことを特徴とする。
【００１１】
請求項７の考案は、請求項１に記載のマクロ撮影用光モジュールにおいて、前記端面上に、複数の凹槽を形成し、しかも該接触ユニットの該各接触クッションはそれぞれ取り外し可能状態で、該各凹槽内に対応して嵌めて設置したことを特徴とする。
請求項８の考案は、請求項７に記載のマクロ撮影用光モジュールにおいて、前記接触ユニットはさらに、隣接する２個の接触クッションに連接する少なくとも１個の連結部を備えたことを特徴とする。
請求項９の考案は、請求項１に記載のマクロ撮影用光モジュールにおいて、前記マクロ撮影用光モジュールはさらに、アダプタを備え、しかも該スリーブは、該アダプタにより、該画像取込装置上に取り付けられることを特徴とする。
【考案の効果】
【００１２】
本考案のマクロ撮影用光モジュールにより、明晰にマクロ撮影を行うことができ、しかもレンズと被写体との間の相互汚染を回避することができる。
【図面の簡単な説明】
【００１３】
【図１】本考案マクロ撮影用光モジュール第一実施例の立体分解図である。
【図２】図１に示すマクロ撮影用光モジュールの組合せ断面図である。
【図３】本考案マクロ撮影用光モジュール第二実施例の立体図である。
【図４】本考案マクロ撮影用光モジュール第三実施例の立体分解図である。
【図５】本考案マクロ撮影用光モジュール第四実施例の立体分解図である。
【図６】本考案マクロ撮影用光モジュール第六実施例の立体分解図である。
【考案を実施するための形態】
【００１４】
以下に図面を参照しながら本考案を実施するための最良の形態について詳細に説明する。
【実施例】
【００１５】
図１は、本考案マクロ撮影用光モジュールの第一実施例を示す。
該マクロ撮影用光モジュールは、画像取込装置１０のレンズ１１上に設置する。
該マクロ撮影用光モジュールは、スリーブ２１、発光ユニット２２、アダプタ３０、接触ユニット４０からなる。
【００１６】
本実施例中では、該画像取込装置１０は、市販のデジタルカメラを例とするが、実際の実施時にはこれに限定するものではなく、カメラ付き携帯電話端末、カメラ付きＰＤＡ等の画像取込機能を備えた電子デバイス等の各種型式の画像取込装置とすることができる。
【００１７】
前記スリーブ２１は、該レンズ１１に嵌めて接続する後段部２１１、及び該後段部２１１の反対側の前段部２１２を備える。該スリーブ２１は、光透過、或いは光不透過材質により製造する。
本実施例中では、該スリーブ２１は、円筒であるが、実際の実施時にはこれに限定するものではなく、中空の筒体を備えればそれで良い。
前記発光ユニット２２は、該前段部２１２の内表面上に設置する。
【００１８】
本実施例中では、該発光ユニット２２は、環状帯２２１、及び該環状帯２２１上に設置する複数の発光ダイオード２２２を備える。
実際の実施時には、前記発光ユニット２２は、少なくとも１個の前記発光ダイオード２２２を備える。
【００１９】
該発光ダイオード２２２が発する光線は、赤外線、可視光線、或いは紫外線で、これにより各種物質を照らすことができる。
この他、該マクロ撮影用光モジュールの製造の便のため、該環状帯２２１は、フレキシブル回路板とし、これにより該各発光ダイオード２２２をその上に設置後、簡単に折り曲げ、該スリーブ２１内に入れることができる。
【００２０】
該アダプタ３０により、該スリーブ２１は、該画像取込装置１０上に接続される。しかも、該アダプタ３０は、該発光ユニット２２に対して給電を行う電源ユニット（図示なし）を備えることができ、例えば、該電源ユニットは、少なくとも１個の電池を含む。
【００２１】
前記接触ユニット４０は、該前段部２１２の端面２１３上に設置し、該接触ユニット４０は、間隔を開けて該端面２１３上に設置する複数の該接触クッション４１を備える。
本実施例中では、該接触ユニット４０は、間隔を開けて設置する３個の接触クッション４１を備え、しかも該接触クッション４１と該スリーブ２１とは、一体成型である。
【００２２】
図２に示すように、実際の使用時には、該画像取込装置１０は、該スリーブ２１及び該接触ユニット４０のサポートにより、平面５０の上に直立できるため、使用者は手で該画像取込装置１０を持つ必要がなく、簡単に該平面５０の撮影を行うことができる。
図に示すように、該接触クッション４１は、半円形の断面を備える。
【００２３】
前記接触ユニット４０により、前記スリーブ２１と前記平面５０との接触面積を減らすことができ、これにより該スリーブ２１に、該平面５０上の物質が付着することはない。
これにより、例えば、指紋画像を採取する状況では、指紋に対する破壊を減らすことができ、しかも該スリーブ２１に汚染物が付着する機会を減らすこともできるため、該スリーブ２１が次に他の指紋を採取する時、汚染物を他の指紋上まで持っていき、相互汚染の状況の発生を回避することができる。
【００２４】
図３に示すように、本考案マクロ撮影用光モジュールの第二実施例は、図１及び図２に示すマクロ撮影用光モジュールとおおよそ同じであるが、両者の差異は、該接触ユニット４０の接触クッション４２が、該端面２１３に沿って弧状を呈して延伸する点である。
【００２５】
これにより、該接触クッション４２の延伸距離が長くなり、隣り合う任意の接触クッション４２間の空隙４２１は小さくなる。
そのため、平面に用いる時には、外界の光線がスリーブ２１内に進入し撮影効果に悪影響を及ぼすことを回避可能である。
【００２６】
図４に示すように、本考案マクロ撮影用光モジュールの第三実施例は、図１及び図２に示すマクロ撮影用光モジュールとおおよそ同じであるが、両者の差異は、該端面２１３上に、複数の凹槽２１５を形成し、しかも該接触ユニット４０の該各接触クッション４３は、取り外し可能状態で、それぞれ該各凹槽２１５内に対応して嵌めて設置され、該接触クッション４３の少なくとも一部分は露出する。
【００２７】
本実施例中では、該各接触クッション４３は、球状であるが、実際の実施時には、これに限定するものではなく、これにより一回の撮影を行った後、使用済みの接触クッション４３を除去し、新しい接触クッション４３に交換し、これにより相互汚染の発生をさらに確実に回避することができる。
【００２８】
図５に示すように、本考案マクロ撮影用光モジュールの第四実施例は、図４に示すマクロ撮影用光モジュールとおおよそ同じであるが、両者の差異は、該端面２１３上の前記凹槽２１５が、該端面２１３に沿って弧状を呈して延伸する点である。
しかも、該接触ユニット４０の接触クッション４４もまた弧状延伸を呈し、該接触ユニット４０はさらに、隣接する２個の接触クッション４４に連接する少なくとも１個の連結部４５を備える。
該連結部４５により、すべての接触クッション４４を連結するため、接触ユニット４０交換時の利便性を、図４に比べ高めることができる。
【００２９】
図６に示すように、本考案マクロ撮影用光モジュールの第六実施例は、図１及び図２に示すマクロ撮影用光モジュールとおおよそ同であるが、両者の差異は、該マクロ撮影用光モジュールには、該アダプタ３０がなく、該スリーブ２１を、カメラの該画像取込装置１０のレンズ１１上に直接取り付けることである。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１０  画像取込装置
１１  レンズ
２１  スリーブ
２１１  後段部
２１２  前段部
２１３  端面
２１５  凹槽
２２  発光ユニット
２２１  環状帯
２２２  発光ダイオード
３０  アダプタ
４０  接触ユニット
４１、４２、４３、４４  接触クッション
４５  連結部
５０  平面
【図１】
0003170421.tif 000003
【図２】
0003170421.tif 000004
【図３】
0003170421.tif 000005
【図４】
0003170421.tif 000006
【図５】
0003170421.tif 000007
【図６】
0003170421.tif 000008